(57)【要約】【課題】  デパート、スーパー、ホームセンター等で採用されている陳列用商品掛け具において、その先端部から小さな子供、老人等のお客さんの顔面、目等を危険な怪我から保護する新型安全プロテクターを提供する。【解決手段】陳列用商品掛け具のシングルフックの先端部を保護するために、５〜６φ兼用の駒を設け、その駒の中間部の３個の内、対応する一箇所に各種形状の棒材を挿入する、その棒の長さは５０〜４００ミリ前後の陳列用商品掛け具にも対応できる。そして、その棒の先端部に新型安全プロテクターを取り付けることを特徴とする陳列用商品掛け具用新型安全プロテクター。【選択図】図１
2007307325.tif 000002
【特許請求の範囲】
【請求項１】
５φ、６φ兼用できる駒を設けた陳列用商品掛け具の先端部を覆い、目、顔を危険な怪我から保護する新型安全プロテクター。
【請求項２】
５φ、６φの陳列用商品掛け具の長さが５０〜４００ｍｍ前後自由に調整可能な請求項１記載の新型安全プロテクター。
【請求項３】
専用駒を使用することで４〜１０φの陳列用商品掛け具の先端部の保護にも応用可能な請求項１〜２記載の新型安全プロテクター。
【請求項４】
駒の使用により新型安全プロテクターの先端部が左右に回転しないことを特徴とする請求項１〜３記載の新型安全プロテクター。
【請求項５】
新型プロテクターの挿入部に合わせ各種形状の棒材に対応できる新型安全プロテクター。
【発明の詳細な説明】
【技術分野】
【０００１】  本発明は、デパート、スーパー，コンビニ、ホームセンター等で使用する商品掛け具に関する。
【背景技術】
【０００２】  従来、デパート・スーパー・コンビニ等で商品を商品陳列用の取付けバーや格子等に陳列、配列するために、前方向へ商品を掛けるための掛け棒を設け、先端武は商品の出し入れを容易にするため、又、商品が前の方に落ちないために、やや上方へ屈曲している商品掛け具を使用している。従来の商品掛け具は、金属製の掛け棒が突出しているため、掛け棒に吊り下げられた、商品を確かめる等のために顔を近づける際、又、小さな子供が走り、高齢者がつまづいた際に目、顔を傷つける恐れがあるという欠点があった。
本発明は、以上のような欠点に鑑み、商品の出し入れを可能にしながら、買い物中や歩行中等に購買客や来訪者がケガなどをしない様に効率良く防止することができる商品掛け具を提供することを目的としている。
次のような類似の特許公開などがある。
【特許文献１】  特許３６７０５７９
【非特許文献１】  特開２０００−１９７５４２号公報
【非特許文献２】  特開２００２−１８６５４４号公報
【非特許文献３】  特開２００１−１６９８７６号公報  本出願人と同じ
【発明の開示】
【発明が解決しよとする課題】
【０００３】  それには次のような問題点があった。
（イ）陳列用商品掛け棒の先端部危険部から目、顔を保護するものは少ない。
（ロ）陳列用商品掛け棒の直径がまちまちで数種類ある。
（ハ）陳列用商品掛け棒が２種類兼用できるものはない。
（ニ）陳列用商品掛け棒の長さが５０〜４００ｍｍと各種サイズがあり全てに対応で          きる安全プロテクター、又は保護具はない。
（ホ）１本の平棒、角棒等で陳列用商品掛け棒の先端部を保護し、長さを調整できる          安全プロテクター又は保護具はない。
本発明は、以上の問題点を解決するためのものである。
【課題を解決するための手段】
【０００４】  陳列用商品掛け具本体（１）に、５〜６φ兼用の安全プロテクター用駒（２）を設け、商品掛け棒の径に合わせ、１部を欠いた円形の穴があいた駒（２）を取り付ける。射出成形機で成形された駒（２）の円形状各種形状の穴部（３）に、丸棒、平棒、角棒等の各種形状の棒（４）を通し、棒（４）の先端部に射出成形機で成形された新型安全プロテクター（５）を差し込む。
【発明の効果】
【０００５】  従来は陳列用商品掛け具の長さは各種サイズが決められており、安全プロテクターの取り付けは強度上長さが１５０ｍｍ位が限度であったが、新安全プロテクターは長さが関係なく４００ｍｍ前後まで自由な長さの取り付けが可能であり、又掛け棒が５φ、６φが兼用できる構造にした駒を使用したので、従来の数倍以上の効果が期待でき、又構造上新型安全プロテクターが左右に回転することはない。
【発明を実施するための最良の形態】
【０００６】    （イ）射出成形機で成形された樹脂製の駒を設ける。
（ロ）樹脂製の駒の上下に円形の一部を欠いた５φ、６φの穴、駒の樹脂中間部に数          箇所に各種形状の穴を設ける。
（ハ）樹脂製の駒を陳列用商品掛け具のコの字形状の型材との溶接部に商品掛け具を          はめ込む。
（ニ）樹脂製の駒の中間部の一箇所に丸棒、角棒等の各種形状の棒を挿入する。
（ホ）商品掛け具の先端部と上記の各種形状の棒の間隔を合わせる。
（ヘ）上記丸棒、角棒等の各種形状の棒の先端部に、新型安全プロテクターを挿入す          る。
（ト）商品掛け具の長さに合わせ５０〜４００ｍｍ前後まで自由に調整する。
（チ）新型安全プロテクターの差込部にプライスカードを挿入する２個の小穴を設け          る。
（リ）新型プロテクターへの挿入部の形状を各種形状の棒にあわせる。
本発明は、以上の構成よりなっている。
【実施例】
【０００７】  陳列用商品掛け具の先端部を保護する安全プロテクターとして、イトーヨーカー堂、ジャスコ、コクヨ、イトーキー等で実施されている。しかし商品掛け具の長さが５０〜１５０ｍｍと短く、これ以上の長さは樹脂製では強度、金型費等コスト面で無理である。そこで金型費が安価で、５０〜４００ｍｍ前後まで調整でき、更に５φ、６φ兼用の駒を設けた新型安全プロテクターを開発した、これにより、金型等の開発費が極端に安く、５φ、６φは勿論、４〜１０φのすべてに対応できる、又、価格の安価な商品を提供できる。
【産業上の利用可能性】
【０００８】  従来型の５０〜１５０ｍｍは、すでに大手スーパー等数社に採用されているが、長い陳列用商品掛け具には、樹脂の強度面、あるいは金型費等で対応できなかった。しかし、この新安全プロテクターでは、ほとんど対応可能である。又、専用の駒を使用することにより４〜１０φの商品掛け具にも対応出来る可能性が期待できる。デパート、スーパーでの買物時における、子供、高齢者の顔面、目等に対する事故を保護するために開発された新安全商品であり産業上の利用可能性は将来大いに期待できる。
【図面の簡単な説明】
【０００９】
【図１】本発明の正面図
【図２】本発明の平面図
【図３】本発明の右側面図
【図４】本発明の左側面図
【図５】本発明の新型プロテクターの正面図
【図６】本発明の新型プロテクターの平面図
【図７】本発明の駒の正面図
【図８】本発明の駒の右側面図
【符号の説明】
【００１０】    １  陳列用商品掛け具本体
２  ５φ、６φ兼用駒
３  各種形状の棒材
４  新型安全プロテクター
【図１】
2007307325.tif 000003
【図２】
2007307325.tif 000004
【図３】
2007307325.tif 000005
【図４】
2007307325.tif 000006
【図５】
2007307325.tif 000007
【図６】
2007307325.tif 000008
【図７】
2007307325.tif 000009
【図８】
2007307325.tif 000010